(57)【要約】【課題】一体化されたＳＭＳ／ＷＡＰ広告を提供するためのシステム、方法、コンピューターデバイス、及びコンピューターソフトウェアの種々の実施形態を得る。【解決手段】システムは、ショートメッセージサービス（ＳＭＳ）アプリケーションサーバー及びウェブサーバーを含む。ＳＭＳアプリケーションサーバーは、無線アクセスプロトコル（ＷＡＰ）サイトへの埋め込まれたリンクを有するショートメッセージサービス（ＳＭＳ）メッセージをモバイル端末に送るように構成されている。埋め込まれたリンクは、ＳＭＳメッセージに関係するアドバタイザーを特定する所定のパラメータを含む。ウェブサーバーは、ＷＡＰサイトのリクエストを受け取るように構成されている。前記リクエストが所定のパラメータを含む場合、前記リクエストがＳＭＳメッセージから生じたことが確定され、ＷＡＰサイトが、アドバタイザーに関係する広告とともにモバイル端末に提供される。【選択図】図１
2011054174.tif 000002
【特許請求の範囲】
【請求項１】
広告の方法であって、
ショートメッセージサービス（ＳＭＳ）メッセージをデバイスに送信する工程であって、前記ＳＭＳメッセージがモバイルウェブサイトへのリンクを含み、前記リンクがＳＭＳメッセージのスポンサーに関係する所定のパラメータを有する工程、
リンクのリクエストを受け取る工程、
所定のパラメータに基づき、前記リンクのリクエストがＳＭＳメッセージから生じたことを確定する工程、及び
モバイルサイトを、ＳＭＳメッセージに関係する広告とともにデバイスに提供する工程を含む方法。
【請求項２】
前記リンクが無線アクセスプロトコル（ＷＡＰ）リンクを含む、請求項１に記載の方法。
【請求項３】
前記所定のパラメータが、スポンサーに関係する一意識別子を含む、請求項１に記載の方法。
【請求項４】
前記リンクが、前記パラメータを含むユニフォームリソースロケータ（ＵＲＬ）を含む、請求項１に記載の方法。
【請求項５】
前記リクエストがＳＭＳメッセージから生じたことの確定が前記ＵＲＬの解析を含む、請求項４に記載の方法。
【請求項６】
ＳＭＳ提供ＷＡＰ広告を提供するシステムであって、
ショートメッセージサービス（ＳＭＳ）アプリケーションサーバーであって、モバイル端末へショートメッセージサービス（ＳＭＳ）メッセージを送信するように構成されており、前記ＳＭＳメッセージが、ＳＭＳメッセージに関係するアドバタイザーを特定する所定のパラメータを含む無線アクセスプロトコル（ＷＡＰ）サイトへの埋め込まれたリンクを有するＳＭＳアプリケーションサーバー、及び
ウェブサーバーであって、
ＷＡＰサイトのリクエストを受け取り、
前記リクエストが所定のパラメータを含む場合、前記リクエストがＳＭＳメッセージから生じたことを確定し、ＷＡＰサイトを、アドバタイザーと関連する広告とともにモバイル端末に与えるように構成されているウェブサーバーを含むシステム。
【請求項７】
前記リクエストが所定のパラメータを含まない場合、前記ウェブサーバーが、デフォルト条件に基づきモバイル端末にＷＡＰサイトを与えるようにさらに構成されている、請求項１に記載のシステム。
【請求項８】
前記ＳＭＳアプリケーションサーバーがＳＭＳアラートサービスのプロバイダーと関係がある、請求項６に記載のシステム。
【請求項９】
前記の埋め込まれたリンクが、前記パラメータを含むユニフォームリソースロケータ（ＵＲＬ）を含む、請求項６に記載のシステム。
【請求項１０】
前記ウェブサーバーが、前記ＵＲＬの解析により、前記リクエストがＳＭＳメッセージから生じたことを確定するようにさらに構成されている、請求項９に記載のシステム。
【請求項１１】
前記ＳＭＳアプリケーションサーバー及びウェブサーバーがシングルサーバーを含む、請求項６に記載のシステム。
【請求項１２】
ＳＭＳ提供ＷＡＰ広告を提供するコンピュータ読取可能媒体に組み込まれているコンピュータープログラムであって、
無線アクセスプロトコル（ＷＡＰ）サイトへのリンクのリクエストを受け取り、
前記リンクのリクエストがショートメッセージサービス（ＳＭＳ）メッセージから生じたことを確定し、及び
ＳＭＳメッセージを提供するアドバタイザーに関係する広告とともにＷＡＰサイトを供給するように構成されているロジックを含むコンピュータープログラム。
【請求項１３】
前記リクエストがＳＭＳメッセージから生じたことを確定するように構成されているロジックが、前記リンクが所定のパラメータを含むことを確定するように構成されているロジックを含む、請求項１２に記載のコンピュータープログラム。
【請求項１４】
前記所定のパラメータが、アドバタイザーに関係する一意識別子を含む、請求項１３に記載のコンピュータープログラム。
【請求項１５】
前記リンクが、前記所定のパラメータを含むユニフォームリソースロケータ（ＵＲＬ）を含む、請求項１３に記載のコンピュータープログラム。
【請求項１６】
ＳＭＳ提供ＷＡＰ広告を提供するシステムであって、
ショートメッセージサービス（ＳＭＳ）アプリケーションサーバーであって、モバイル端末へショートメッセージサービス（ＳＭＳ）メッセージを送信するように構成されており、前記ＳＭＳメッセージが、ＳＭＳメッセージに関係するアドバタイザーを特定する所定のパラメータを含む無線アクセスプロトコル（ＷＡＰ）サイトへの埋め込まれたリンクを有するＳＭＳアプリケーションサーバーを含むシステム。
【請求項１７】
ＳＭＳ提供ＷＡＰ広告を提供するシステムであって、
モバイル端末からＷＡＰサイトのリクエストを受け取り、
前記リクエストが、アドバタイザーにより提供されたＳＭＳメッセージから生じたことを確定し、
ＷＡＰサイトを、アドバタイザーに関係する広告とともにモバイル端末に提供するように構成されているウェブサーバーを含むシステム。
【発明の詳細な説明】
【背景技術】
【０００１】
ショートメッセージサービス（ＳＭＳ）は、モバイル加入者とＳＭＳをサポートするＳＭＳアプリケーションなどの他の外部システムとの間で、比較的短い英数字又はテキストのメッセージを送信可能にする、世界中で受け入れられている無線サービスである。ＳＭＳを実施する規格は、第３世代パートナーシッププロジェクト（３ＧＧＰ）により、参照によりそのまま本明細書に組み込まれる「３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｔｅｒｍｉｎａｌｓ；  Ｔｅｃｈｎｉｃａｌ  Ｒｅａｌｉｚａｔｉｏｎ  ｏｆ  ｔｈｅ  Ｓｈｏｒｔ  Ｍｅｓｓａｇｅ  Ｓｅｒｖｉｃｅ  （ＳＭＳ）」というタイトルのＴｅｃｈｎｉｃａｌ  Ｓｐｅｃｉｆｉｃａｔｉｏｎｓ  Ｄｏｃｕｍｅｎｔ  Ｎｕｍｂｅｒ  ３ＧＰＰ  ＴＳ  ２３．０４０  Ｖ６．６．０に定義されている。無線通信デバイス（例えば、携帯電話、スマートフォン、携帯情報端末、車載タイプＧＰＳ、及び他のデバイスなど）を使用する消費者の数が著しく増え、ユーザーがそのようなデバイスを利用してＳＭＳメッセージを送る頻度が増大したため、ＳＭＳは無線産業において大きな成功を収めた。ＳＭＳは今や無線キャリア及びＳＭＳアプリケーションサービスプロバイダーにとって莫大な収入をもたらすものである。ＳＭＳインプリメンテーションは、契約収入に基づきエンドユーザーから収入を生み出すことがあるが（例えば、モバイルキャリア又はＳＭＳアプリケーション契約）、広告から収入を得たり収入を補ったりすることもある。
【０００２】
しかし、ＳＭＳ技術には、キャリアネットワークのインフラストラクチャーのため（他のオンライン又はウェブ系送信システムに比べ）ＳＭＳメッセージの送信に比較的高いメッセージあたりコストがあるという問題がある。このコストを相殺するために、ある収入モデルは、アドバタイザーへのスポンサーシップの販売を含む。ＳＭＳメッセージのプロバイダーは、アドバタイザーがメッセージの内容にテキスト広告又は他の情報を載せることを可能にする。このモデルはいくらかの収入の機会を与えるが、広告内容の単純さ及びＳＭＳ技術の固有の提示限界のために限定されている。
【０００３】
ＳＭＳメッセージの内容に他のオンラインリソースへのリンクを補うことにより、この問題に取り組もうとしているＳＭＳプロバイダーもいる。例えば、ＳＭＳメッセージはモバイルウェブサイト（例えば、無線アクセスプロトコル（ＷＡＰ）サイト）へのリンクを含むことがあるが、そこでユーザーはブラウザーにより追加の情報を見ることができる。この解決法は、ＷＡＰサイトのプロバイダーがＷＡＰサイト上の広告を販売できるので、追加の収益の機会を与える。しかし、ＷＡＰ広告から生じる収益はＳＭＳプロバイダーに配分できず、ＳＭＳスポンサーシップをＷＡＰサイトに拡大する機構はない。そのため、ＳＭＳ技術の成長及び商業的な成功にかかわらず、ＳＭＳ技術を利用する広告を提供する改善されたシステム及び方法が必要とされたままである。
【発明の概要】
【課題を解決するための手段】
【０００４】
一体化されたＳＭＳ／ＷＡＰ広告を提供するシステム、方法、コンピューターデバイス、及びコンピューターソフトウェアの種々の実施形態が開示される。一実施形態は、ショートメッセージサービス（ＳＭＳ）メッセージをデバイスに送信する工程であって、前記ＳＭＳメッセージがモバイルウェブサイトへのリンクを含み、前記リンクがＳＭＳメッセージのスポンサーに関係する所定のパラメータを有する工程；前記リンクのリクエストを受け取る工程；所定のパラメータに基づき、前記リンクのリクエストがＳＭＳメッセージから生じたことを確定する工程；及びモバイルサイトを、ＳＭＳメッセージのスポンサーに関係する広告とともにデバイスに提供する工程を含む、広告の方法を含む。
【０００５】
他の実施形態は、ＳＭＳ提供ＷＡＰ広告を提供するシステムを含む。そのようなシステムは、ショートメッセージサービス（ＳＭＳ）アプリケーションサーバー及びウェブサーバーを含む。ＳＭＳアプリケーションサーバーは、無線アクセスプロトコル（ＷＡＰ）サイトへの埋め込まれたリンクを有するショートメッセージサービス（ＳＭＳ）メッセージをモバイル端末へ送信するように構成されている。埋め込まれたリンクは、ＳＭＳメッセージに関係するアドバタイザーを特定する所定のパラメータを含む。ウェブサーバーは、ＷＡＰサイトのリクエストを受け取るように構成されている。リクエストが所定のパラメータを含む場合、前記リクエストがＳＭＳメッセージから生じたことが確定され、ＷＡＰサイトが、モバイル端末にアドバタイザーと関係する広告とともに与えられる。
【０００６】
さらなる実施形態は、ＳＭＳ提供ＷＡＰ広告を提供するコンピュータ読取可能媒体に組み込まれているコンピュータープログラムを含む。そのようなコンピュータープログラムは、無線アクセスプロトコル（ＷＡＰ）サイトへのリンクのリクエストを受け取り；前記リンクのリクエストがショートメッセージサービス（ＳＭＳ）メッセージから生じたことを確定し；ＳＭＳメッセージを提供するアドバタイザーに関係する広告の付いたＷＡＰサイトを供給するように構成されているロジックを含む。
【図面の簡単な説明】
【０００７】
【図１】ＳＭＳ提供ＷＡＰ広告を提供するシステムの一実施形態を示すブロックダイアグラムである。
【図２】図１のシステムにおけるＳＭＳ提供ＷＡＰ広告システムの一実施形態のアーキテクチャ、操作、及び／又は機能性を示すフローチャートである。
【図３】図１及び２のシステムによりＳＭＳ提供ＷＡＰ広告を提供する方法の実施形態を、ユーザーの視点から示す例示的なモバイルステーションのスクリーンショットである。
【図４】図１及び２のシステムによりＳＭＳ提供ＷＡＰ広告を提供する方法の実施形態を、ユーザーの視点から示す例示的なモバイルステーションのスクリーンショットである。
【図５】図１及び２のシステムによりＳＭＳ提供ＷＡＰ広告を提供する方法の実施形態を、ユーザーの視点から示す例示的なモバイルステーションのスクリーンショットである。
【発明を実施するための形態】
【０００８】
図１は、ＳＭＳ提供ＷＡＰ広告の種々の実施形態を実施する例示的な作業環境を表すシステム１００を表す。システム１００は、ウェブサーバー１０４に組み込まれている、又は動作可能に連結されているＳＭＳ提供ＷＡＰ広告システム１０２を含む。ウェブサーバー１０４は、例えばキャリアネットワーク１２０又はインターネット１１０などの通信ネットワークによりモバイルウェブサイト（例えばＷＡＰサイト１０６）をモバイルステーション（複数可）１０８に提供する。一実施形態において、システム１００は、キャリアネットワーク１２０などの通信ネットワークによりモバイルステーション（複数可）１０８にＳＭＳアプリケーションを提供するＳＭＳアプリケーションサーバー１１２をさらに含む。任意の好適なＳＭＳアプリケーションを実施できるが、一実施形態においてＳＭＳアプリケーションサーバー１１２はモバイルアラートサービスを提供するように構成されている。モバイルアラートサービスは、例えば、ニュース関連アラート、スポーツ関連アラート、スコアの更新、又は他の種類のアラート若しくはコンテントをサービスの加入者に提供できる。ＳＭＳアプリケーションの機能性に関係なく、ＳＭＳアプリケーションサーバー１１２は、ＳＭＳ提供ＷＡＰ広告を可能にする特殊に構成されたＳＭＳメッセージ１１４を提供する。
【０００９】
図１に示されるとおり、ＳＭＳメッセージ１１４は、ＷＡＰサイト１０６への埋め込まれたリンク１１６を含む。ＷＡＰリンク１１６は、例えば、ウェブサイト１０６に関係するユニフォームリソースロケータ（ＵＲＬ）を含むことがある。ＵＲＬは、例えば、ファイルリソースへのアクセスに使用すべきプロトコルの名前（例えば、ハイパーテキストトランスファプロトコル（ＨＴＴＰ））、インターネット上で特定のコンピュータを特定するためのドメインネーム、パスネーム、及び／又はウェブサーバー１０４でのリソースのロケーションを特定する階層記述を含んでよい。ＳＭＳアプリケーションの一態様は、ＳＭＳメッセージ１１４及び／又はリンク１１６が、ＳＭＳメッセージ１１４及び／又はＷＡＰリンク１１６を提供するアドバタイザーに関係するデータ（例えば、ＳＭＳスポンサーデータ１１８）を含むものである。ＳＭＳスポンサーデータ１１８は、ＷＡＰリンク１１６がＳＭＳメッセージ１１４から生じたことを特定する１つ以上のパラメータを含む。前記パラメータ（複数可）は、（例えば、一意識別子により、クエリーストリングの使用により）ＳＭＳスポンサーの正体も示すことがある。
【００１０】
以下に詳細に述べられるとおり、ＳＭＳメッセージ１１４がモバイルステーション１０８に送られると、ユーザーはＷＡＰリンク１１６を選択し、例えば、メッセージの内容に関して追加又は別な情報を得ることがある。ＷＡＰ１１６が選択されると、ＳＭＳ提供広告システム１０２はＳＭＳスポンサーデータ１１８を利用して、提供されたＳＭＳメッセージ１１４からＷＡＰリンク１１６が生じたことを確定する。別な実施形態において、ＳＭＳ提供広告システム１０２は、関係するＳＭＳスポンサーデータ１１８なしにＷＡＰリンク１１６からＳＭＳスポンサーを決定することができる。ＷＡＰリンク１１６がＳＭＳメッセージ１１４から生じたことの確定に基づき、ＷＡＰサイト１０６は、ＳＭＳメッセージ１１４のスポンサーシップをＷＡＰサイト１０６に拡大するように構成することができる。言い換えると、ＳＭＳメッセージ１１４のスポンサーは、ＳＭＳメッセージ１１４に埋め込まれたＷＡＰリンク１１６によりアクセスされると、ＷＡＰサイト１０６も提供できるようにされることがある。このようにして、ＷＡＰリンク１１６を、ＳＭＳメッセージ１１４に埋め込まれたデータにより特定されたアドバタイザーに関係する広告とともにモバイルステーション１０８に提供することができる。
【００１１】
再び図１を参照すると、モバイルステーション１０８がこれらの特徴又は他の特徴をサポートする適切に構成されたハードウェア及びソフトウェアを含むことを認識されたい。例えば、モバイルステーション１０８は、ＳＭＳ層１２２、ＷＡＰブラウザー１２４、ディスプレイ１２６、無線トランシーバー１２８、及びプロセッサ１３０を含むことがある。ＳＭＳ層１２２は、上述の規格又は他のＳＭＳインプリメンテーションに基づき、キャリアネットワーク１２０によりＳＭＳメッセージ１１４の送受信をサポートする機能性を含む。ＷＡＰブラウザー１２４は、モバイルウェブサイト上に配置されたテキスト、画像、動画、音声、又は他の情報をユーザーが見て、それらとインタラクトできるようにするユーザーインターフェース（ＵＩ）ソフトウェアアプリケーションを含む。ＷＡＰブラウザー１２４は、無線アクセスプロトコルを実施する種々の規格の１つ以上をサポートするように構成されている。ディスプレイ１２６は、ＳＭＳ層１２２、ＷＡＰブラウザー１２４、及びモバイルステーション１０８に存在する他のアプリケーションに関係する情報を表示する任意の好適な装置を含む。プロセッサ１３０は、モバイルステーション１０８に組み込まれた論理関数をフェッチし実行するハードウェアを含む。
【００１２】
システム１００の全般的な作業環境及び基本的な構成要素が説明されたので、ＳＭＳ提供ＷＡＰ広告システム１０２が、図２〜５に関連してより詳細に説明される。ＳＭＳ提供ＷＡＰ広告システム１０２が、ＳＭＳ提供ＷＡＰ広告を実施する特定の機能を与えるロジックを含むことを認識されたい。さらに、ＳＭＳ提供ＷＡＰ広告システム１０２は、ソフトウェア、ハードウェア、ファームウェア、又はこれらの組み合わせにおいて実施できる。一実施形態において、前記システムは、ウェブサーバー１０４及び／又は関係する構成要素に関係するメモリ中に記憶され、好適な命令実行システムにより実行されるソフトウェア又はファームウェアで実施される。ソフトウェア又はファームウェア実施形態において、ロジックは、任意の好適なコンピュータ言語で書かれていてよい。ロジックの一部はウェブサーバー１０４に存在してよいが、他の部分はモバイルステーション１０８又はＳＭＳアプリケーションサーバー１１２に存在してよい。ハードウェア実施形態において、前記システムは、全て当分野に公知の以下の技術又は他の技術のいずれか又はそれらの組み合わせにより実施することができる：データシグナルに論理関数を実施する論理回路を有する離散論理回路（複数可）、適切な組み合わせ論理回路を有する特定用途向け集積回路（ＡＳＩＣ）、プログラム可能なゲートアレイ（複数可）（ＰＧＡ）、現場でプログラム可能なゲートアレイ（ＦＰＧＡ）など。
【００１３】
当業者は、ＳＭＳ提供ＷＡＰ広告システム１０２の操作に関係するプロセス又は方法の説明が、プロセス中の論理関数又は工程を実施する１つ以上の実行命令を含むモジュール、セグメント、ロジック、又はコードの一部を示すことがあることを認識するであろう。当業者には理解されるであろうが、どの論理関数も、含まれている機能性によって、実質的に同時に又は逆の順番を含む記載されたものとは順番を違えて実施してもよいことをさらに認識されたい。さらに、ＳＭＳ提供ＷＡＰ広告システム１０２は、命令実行システム、装置、又はデバイスから命令をフェッチしその命令を実行できるコンピュータ系システム、プロセッサ含有システム、又は他のシステムなど、命令実行システム、装置、又はデバイスにより使用するための、又はそれらと関連して使用するための任意のコンピュータ読取可能媒体中に組み入れることもできる。
【００１４】
図２は、図１のＳＭＳ提供ＷＡＰ広告システム１０２の実施形態のアーキテクチャ、操作、及び／又は機能性を表すフローチャートである。ブロック２０２で、ＳＭＳメッセージ１１４（図１）がモバイルステーション１０８に与えられる。ＳＭＳメッセージ１１４はモバイルサイトへのリンクを含むことがあり（例えば、ＷＡＰサイト１０６へのＷＡＰリンク１１６）、それはＳＭＳスポンサーデータ１１８を含むことがある。この点で、ＳＭＳアプリケーションサーバー１１２及びウェブサーバー１０４のプロバイダーはシングルサービスプロバイダーを含んでよく、シングルサーバーに組み込まれていてもよく、別な実施形態において、ＳＭＳ提供ＷＡＰ広告システム１０２を共同でサポートするように構成された提携したサービスプロバイダーでもよいことを認識されたい。
【００１５】
モバイルデバイス１０８はＳＭＳメッセージ１１４を受信し、それをディスプレイ１２６に表示する。図３〜５は、ＳＭＳメッセージ１１４を提示するディスプレイ１２６のスクリーンショットの例示的な実施形態を示す。図３は、メッセージ（例えば、電子メール、テキストメッセージ、予約通知、アラート、など）を見るメッセージアプリケーションを表すスクリーンショット３００である。スクリーンの一部３０２に、種々のメッセージが並んで表示される。各列は、対応するメッセージのプロパティを特定するデータフィールドの列を含むことがある（例えば、アイコン、時間、メッセージの送り主、題名など）。列３０４は、テキストメッセージアイコン３０６、メッセージ受信の時間、送り主の正体、及びＳＭＳメッセージ１１４の題名を含む受信したＳＭＳメッセージ１１４の実施形態の種々のプロパティを表示する。列３０８は、種々の電子メールメッセージ（電子メールアイコン３１０により特定）を表示する。
【００１６】
ＳＭＳメッセージ１１４を見るには、ユーザーは適切なユーザーインターフェースフィーチャにより列３０４を選択し、強調し（図４）、クリックすることができる。受信したＳＭＳメッセージ１１４の実施形態は、図５のスクリーンショット５００に示されている。この実施形態に示されるとおり、ＳＭＳメッセージ１１４は、メッセージが、ＳＭＳアプリケーションサーバー１１２により提供された「アラートサービス」により送られたことをヘッダー５０２で確認できる。サブヘッダー５０４に、メッセージが送られた日時が表示される。スクリーンの一部５０６に、ＳＭＳメッセージ１１４の内容が、簡単なアラートメッセージを示すテキスト部分、ＷＡＰリンク１１６（例えばＵＲＬ５０８）、及びＳＭＳメッセージ１１４を提供するアドバタイザーと関係する情報を表示するスポンサーセクション５１０として表示される。ＳＭＳメッセージに関係する内容が種々の方法で表示され、例えば、音声、映像、テキスト、グラフィックス、又はそれらの任意の組み合わせを含むことがあることを認識されたい。
【００１７】
ＷＡＰリンク１１６は種々の方法でＳＭＳメッセージ１１４中に提供される。一実施形態において、「ＷＡＰプッシュ」法が実施されるが、ＳＭＳメッセージ１１４がメッセージ及びリンクを含むものである。この方法では、モバイルステーション１０８のソフトウェアは、リンクを認識してそのリンクを「クリック可能な」ハイパーテキストリンクとして自動的に表示するように構成されている。他の実施形態において、リンクはプレーンテキストとしてメッセージ中に埋め込まれている。上述のとおり、ＵＲＬ５０８はＳＭＳスポンサーデータ１１８を含むことがある。ＳＭＳスポンサーデータ１１８は、ＳＭＳメッセージ１１４を提供したのと同じアドバタイザーに一致することがある。このようにして、ＳＭＳメッセージ１１４のスポンサーシップは、ＷＡＰリンク１１６に拡大することがある。アドバタイザーは、これをより価値のある広告機会と考えることがあり、これによりＳＭＳアプリケーションサーバー１１２及び／又はウェブサーバー１０４のプロバイダーがＳＭＳメッセージあたりより多い収益をあげることが可能となる。他の実施形態において、ＳＭＳスポンサーデータ１１８は、ＳＭＳスポンサー以外のアドバタイザーに一致することがある。
【００１８】
ユーザーが、アラートメッセージに関連した追加の情報又は別の若しくは無関係の情報を得ることに興味がある場合（又は別な理由によりＷＡＰリンク１１６を選択する場合）、モバイルステーション１０８はウェブサーバー１０４にリクエストを送る。再び図２を参照すると、ブロック２０４で、ＳＭＳ提供ＷＡＰ広告システム１０２は、ＷＡＰリンク１１６のリクエストを受け取る。決断ブロック２０６で、ＳＭＳ提供ＷＡＰ広告システム１０２は、ＷＡＰリンク１１６のリクエストがＳＭＳ提供広告に対応する（すなわち、ＳＭＳスポンサーデータ１１８を含む）か否かを確定する。一実施形態において、クエリーストリングコードがＷＡＰリンク１０６に埋め込まれており、ルックアップテーブルが前記コードを特定のスポンサーに関係づける。他の実施形態において、例えば、クエリーストリングパラメータではなく特別なホストネームが使用されることがあるが、このホストネームがスポンサーを特定する。ＷＡＰリンク１１６のリクエストがＳＭＳスポンサーデータ１１８を含まない場合、ＳＭＳ提供ＷＡＰ広告システム１０２はデフォルトのコンテント提示条件を実施する（ブロック２０８）。デフォルト条件は、デフォルト広告とともにＷＡＰサイト１０６と関係するコンテントを提供するか、又は他の実施形態において、広告とともに、若しくは広告無しでＷＡＰサイト１０６と関係する別なコンテントを提供することがある。ＷＡＰリンク１１６のリクエストがＳＭＳスポンサーデータ１１８を含むと確定される場合、ＳＭＳ提供ＷＡＰ広告システム１０２は、ＳＭＳスポンサーに関連する広告の付いたコンテントを提供できる（ブロック２１０）。広告は、例えば、バナー広告を含んでよい。他の実施形態において、ＷＡＰサイト１０６を、（例えば、特別な色、ロゴなどで）ＳＭＳスポンサーのブランドを支持するように提示することができる。
【００１９】
本発明の原理及び概念を説明する目的で、１つ以上の例示的又は記載された実施形態に関連して、本開示が提示されてきたことに留意されたい。本発明はそのような実施形態に限定されない。当業者に理解されるとおり、本明細書に与えられる説明を考慮すると、多くの変形を本明細書に記載の実施形態に加えることができ、そのような変形は全て本発明の範囲内である。
【図１】
2011054174.tif 000003
【図２】
2011054174.tif 000004
【図３】
2011054174.tif 000005
【図４】
2011054174.tif 000006
【図５】
2011054174.tif 000007